(57)【要約】【課題】絞り機構の手動操作部材を高精度に操作して位置決めでき、そのガタツキや操作上の違和感等を解消する。【解決手段】カメラ本体１０、レンズ鏡筒ＬＵ、所定の絞り値に設定し得る絞り機構を備え、絞り機構が、レンズ鏡筒内に可動に配置された絞り部材５０、カメラ本体に対して回動自在に配置された手動操作部材２０、手動操作部材の回動動作を絞り部材の回動動作に変換して連動させる連動機構（２７，５１，６０）、絞り部材を複数の絞り開口の各々の絞り位置に保持し得るクリック機構を含む絞り機構付きカメラにおいて、手動操作部材を複数の絞り開口に対応する各々の絞り位置に位置決めして保持し得る補助クリック機構（２８ａ〜２８ｅ，係合ピン１０１、付勢バネ１０２）を設けた。これによれば、手動操作部材を高精度に操作して位置決めでき、そのガタツキや操作上の違和感等を解消できる。【選択図】図２０
2014059367.tif 000002
【特許請求の範囲】
【請求項１】
外輪郭を画定するカメラ本体と、撮影時に前記カメラ本体からレンズの光軸方向に繰り出した状態に位置するレンズ鏡筒と、撮影時に所定の絞り値に設定し得る絞り機構とを備え、前記絞り機構は、複数の絞り開口を有すると共に前記レンズ鏡筒内に可動に配置された絞り部材と、前記カメラ本体に対して回動自在に配置された手動操作部材と、前記手動操作部材の回動動作を前記絞り部材の回動動作に変換して連動させる連動機構と、前記絞り部材を前記複数の絞り開口の各々の絞り位置に保持し得るクリック機構を含む、絞り機構付きカメラであって、
前記手動操作部材を前記複数の絞り開口に対応する各々の絞り位置に位置決めして保持し得る補助クリック機構を設けた、
ことを特徴とする絞り機構付きカメラ。
【請求項２】
前記絞り部材は、前記複数の絞り開口が光軸に平行な回転軸を中心に周方向に配列される共に前記回転軸回りに回動自在でかつ前記レンズ鏡筒と一体的に光軸方向に移動する円盤状の絞り部材であり、
前記手動操作部材は、前記カメラ本体に対して光軸回りに回動自在に配置された手動操作環であり、
前記絞り機構は、前記クリック機構による保持を解除した際に所定の絞り値を設定する初期位置に前記手動操作環を自動的に回転復帰させる復帰バネをさらに含む、
ことを特徴とする請求項１に記載の絞り機構付きカメラ。
【請求項３】
前記補助クリック機構は、前記複数の絞り開口がそれぞれ光軸上に位置するときに対応するべく前記手動操作環に対して光軸周りに配列して形成された複数の被係合部と、前記レンズ鏡筒と一体的に光軸方向に移動するべく前記レンズ鏡筒に設けられて前記レンズ鏡筒が繰り出したときに前記複数の被係合部の一つと係合して弾性力により付勢される係合部と、を含む、
ことを特徴とする請求項２に記載の絞り機構付きカメラ。
【請求項４】
前記係合部は、前記レンズ鏡筒に対して光軸方向に可動に保持された係合ピンであり、
前記補助クリック機構は、前記係合ピンを光軸方向の繰り出し側に向けて付勢する付勢バネをさらに含む、
ことを特徴とする請求項３に記載の絞り機構付きカメラ。
【請求項５】
前記係合部は、凸状に湾曲して形成された先端部を有し、
前記複数の被係合部は、それぞれの断面が前記先端部を受け入れる略三角形状の凹みに形成されている、
ことを特徴とする請求項３又は４に記載の絞り機構付きカメラ。
【請求項６】
前記連動機構は、前記手動操作環に設けられた円弧状の駆動歯列と、前記絞り部材に設けられた被動歯車と、前記駆動歯列と前記被動歯車の間に介在する歯車列と、を含み、
前記歯車列は、前記被動歯車に噛合すると共に前記レンズ鏡筒と一体的に光軸方向に移動する移動歯車と、前記カメラ本体側に設けられると共に前記レンズ鏡筒の光軸方向における移動範囲に亘って前記駆動歯列及び前記移動歯車と噛合する円柱状の長尺歯車と、を含む、
ことを特徴とする請求項２ないし５いずれか一つに記載の絞り機構付きカメラ。
【発明の詳細な説明】
【技術分野】
【０００１】
本発明は、撮影時に所定の絞り値に設定し得る絞り機構を備えた絞り機構付きカメラに関し、特に、複数の絞り開口を有する絞り部材を手動により操作する手動操作部材を含む絞り機構を備えた絞り機構付きカメラに関する。
【背景技術】
【０００２】
従来の絞り機構付きカメラとしては、カメラ本体（前カバー、後カバー等）、撮影の際にカメラ本体から光軸方向に繰り出すレンズ鏡筒、カメラ本体に設けられたフラッシュ，フラッシュ受光窓，及び被写界輝度を測光する測光部、レンズ鏡筒内に設けられて複数（４つ）の絞り開口を有すると共に所定軸回りに揺動する絞り部材、絞り部材をそれぞれの絞り位置において保持するクリックレバー、カメラ本体の上面に回動自在に設けられた絞り設定操作子（手動操作部材）、絞り部材と絞り設定操作子とを機械的に連結すると共に絞り設定操作に応じて絞り部材を所定の絞り位置に移動させる連結部材等を備え、レンズ鏡筒を沈胴位置から繰り出した状態において、絞り設定操作子を回転させて、その指標をカメラ本体の複数（４つ）の指標（発光素子）のいずれかに位置合わせすることにより、所定の絞り開口を光軸上に位置付け（所定の絞り値を設定し）、一方、レンズ鏡筒の沈胴動作により、絞り部材は所定開口の絞り値に復帰すると共に絞り設定操作子は絞り部材を所定開口の絞り位置に設定する位置又は姿勢に復帰するように構成されたものが知られている（例えば、特許文献１を参照）。
【０００３】
この絞り機構付きカメラにおいては、絞り部材が光軸に垂直な平面内で揺動するものである一方で、絞り設定操作子はカメラ本体の上面において光軸と捩れた位置にある軸を中心に回転するものであるため、絞り設定操作子の操作を絞り部材に伝達して連動させるために、動作方向が異なる複数の連結部材（直線的に往復動する操作杆、所定軸回りに回動する複数の連結ギヤ等）を採用している。
しかしながら、このように動作方向の異なる複数の連結部材を用いているため、複数の連結部材の相互間においてガタツキやバックラッシ等を生じ易く、絞り設定操作子を回転させて所望の絞り位置に位置付ける（絞り設定操作子の指標をカメラ本体の複数の指標のいずれかに位置合わせする）際に、その指標のずれや絞り操作のガタツキ感等を招き、絞り設定操作子（手動操作部材）の操作に違和感を生じるものであった。
【先行技術文献】
【特許文献】
【０００４】
【特許文献１】特開２００２−３５０９５４号公報
【発明の概要】
【発明が解決しようとする課題】
【０００５】
本発明は、上記の事情に鑑みて成されたものであり、その目的とするところは、構造の簡素化、部品点数の削減、低コスト化、小型化、組み付け作業の容易化等を図りつつ、手動操作部材を高精度に操作して位置決めでき、そのガタツキや操作上の違和感等を解消でき、機能上の信頼性の向上等を図れる絞り機構付きカメラを提供することにある。
【課題を解決するための手段】
【０００６】
本発明の絞り機構付きカメラは、外輪郭を画定するカメラ本体と、撮影時にカメラ本体からレンズの光軸方向に繰り出した状態に位置するレンズ鏡筒と、撮影時に所定の絞り値に設定し得る絞り機構とを備え、絞り機構は、複数の絞り開口を有すると共にレンズ鏡筒内に可動に配置された絞り部材と、カメラ本体に対して回動自在に配置された手動操作部材と、手動操作部材の回動動作を絞り部材の回動動作に変換して連動させる連動機構と、絞り部材を複数の絞り開口の各々の絞り位置に保持し得るクリック機構を含む、絞り機構付きカメラであって、上記手動操作部材を複数の絞り開口に対応する各々の絞り位置に位置決めして保持し得る補助クリック機構を設けた、ことを特徴としている。
この構成によれば、レンズ鏡筒が繰り出した状態において、手動操作部材が一方向に回転させられると、連動機構を介して、絞り部材が動いて適宜所定の絞り口径が光軸上に臨む位置（所定の絞り位置）に位置付けられると共に、絞り部材がクリック機構によりそれぞれの絞り位置に保持され、又、手動操作部材が、補助クリック機構により、光軸上に位置する絞り開口に対応するそれぞれの絞り位置に位置決めして保持される。
このように、複数の絞り開口に対応する各々の絞り位置に手動操作部材を位置決めして保持する補助クリック機構を設けたことにより、連動機構においてガタツキやバックラッシ等を生じても、手動操作部材を所定の絞り位置に高精度にかつ確実に位置決めすることができ、それ故に、従来のような手動操作部材の指標のずれ、ガタツキ感、操作の違和感等を解消することができる。
【０００７】
上記構成において、絞り部材は、複数の絞り開口が光軸に平行な回転軸を中心に周方向に配列される共に回転軸回りに回動自在でかつレンズ鏡筒と一体的に光軸方向に移動する円盤状の絞り部材であり、手動操作部材は、カメラ本体に対して光軸回りに回動自在に配置された手動操作環であり、絞り機構は、クリック機構による保持を解除した際に所定の絞り値を設定する初期位置に手動操作環を自動的に回転復帰させる復帰バネをさらに含む、構成を採用することができる。
この構成によれば、（例えば、レンズ鏡筒の沈胴動作に連動して）クリック機構による保持が解除されると、手動操作環は復帰バネの付勢力により初期位置に復帰し、連動機構を介して、絞り部材は所定の絞り開口に対応する絞り値（頻繁に使用される絞り値）に自動的に設定される。
このように、絞り機構として、光軸に平行な回転軸回りに回動する円盤状の絞り部材、光軸回りに回動する手動操作環を採用したことにより、絞り機構の光軸周りにおける集約化、構造の簡素化、部品点数の削減、レンズ鏡筒の小型化等を達成しつつ、従来に比べて絞り部材に設ける絞り開口の個数を増やすことができ、それ故に、より広範囲で所望の絞り値を設定することができる。
【０００８】
上記構成において、補助クリック機構は、複数の絞り開口がそれぞれ光軸上に位置するときに対応するべく手動操作環に対して光軸周りに配列して形成された複数の被係合部と、レンズ鏡筒と一体的に光軸方向に移動するべくレンズ鏡筒に設けられてレンズ鏡筒が繰り出したときに複数の被係合部の一つと係合して弾性力により付勢される係合部とを含む、構成を採用することができる。
この構成によれば、レンズ鏡筒が光軸方向に繰り出すと、（例えば、係合部がレンズ鏡筒に弾性変形可能に一体的に形成される場合、又は、係合部がレンズ鏡筒に別部材として移動可能に設けられかつ別個の付勢部材により付勢される場合等において）レンズ鏡筒に設けられた係合部が手動操作環の一つの被係合部に弾性付勢されつつ係合して、手動操作環をその絞り位置に位置決めして保持することができる。
【０００９】
上記構成において、係合部は、レンズ鏡筒に対して光軸方向に可動に保持された係合ピンであり、補助クリック機構は、係合ピンを光軸方向の繰り出し側に向けて付勢する付勢バネをさらに含む、構成を採用することができる。
この構成によれば、レンズ鏡筒が光軸方向に繰り出すと、係合ピンが、付勢バネにより付勢されつつ手動操作環の一つの被係合部に係合し、手動操作環をその絞り位置に位置決めして保持することができる。このように、補助クリック機構として、レンズ鏡筒に可動に保持された係合ピン、係合ピンを付勢する付勢バネを採用することで、構造を簡素化しつつ、補助クリック機構の機能上の信頼性を高めることができる。
【００１０】
上記構成において、係合部（又は係合ピン）は、凸状に湾曲して形成された先端部を有し、複数の被係合部は、それぞれの断面が先端部を受け入れる略三角形状の凹みに形成されている、構成を採用することができる。
この構成によれば、レンズ鏡筒が光軸方向に繰り出すと、係合部（又は係合ピン）が弾性付勢されつつ、その先端部が手動操作環の略三角形状の凹みをなす一つの被係合部に係合し、手動操作環をその絞り位置に位置決めして保持することができ、又、手動操作環を適宜他の絞り位置に回転させると、係合部（又は係合ピン）の先端部が、他の被係合部に円滑に移動して、手動操作環を他の被係合部に対応する絞り位置に位置決めして保持することができる。
【００１１】
上記構成において、連動機構は、手動操作環に設けられた円弧状の駆動歯列と、絞り部材に設けられた被動歯車と、駆動歯列と被動歯車の間に介在する歯車列とを含み、歯車列は、被動歯車に噛合すると共にレンズ鏡筒と一体的に光軸方向に移動する移動歯車と、カメラ本体側に設けられると共にレンズ鏡筒の光軸方向における移動範囲に亘って駆動歯列及び移動歯車と噛合する円柱状の長尺歯車とを含む、構成を採用することができる。
この構成によれば、手動操作環を回動させると、その駆動歯列に噛合した長尺歯車が回動し、長尺歯車に噛合した移動歯車を介して被動歯車が回動し、被動歯車と一体的に絞り部材が回転軸回りに回動する。ここで、長尺歯車は、レンズ鏡筒の光軸方向における移動範囲に亘って駆動歯列及び移動歯車と噛合しているため、レンズ鏡筒の沈胴状態から繰り出し状態に至る全域において、手動操作環の回動動作を絞り部材の回動動作に確実に変換して連動させることができる。
ここでは、連動機構として、歯車機構を採用したことにより、部品の集約化、小型化等を達成することができる。
また、歯車機構において相互間にバックラッシを生じても、上記補助クリック機構により、手動操作環を所定の絞り位置に高精度に確実に位置決めして保持することができる。
【発明の効果】
【００１２】
上記構成をなす絞り機構付きカメラによれば、構造の簡素化、部品点数の削減、低コスト化、小型化、組み付け作業の容易化等を達成しつつ、手動操作部材を高精度に操作して位置決めでき、そのガタツキや操作上の違和感等を解消でき、機能上の信頼性の向上等を達成することができる。
【図面の簡単な説明】
【００１３】
【図１】本発明に係る絞り機構付きカメラの一実施形態を示すものであり、（ａ）はレンズ鏡筒が沈胴した状態を示す外観斜視図であり、（ｂ）はレンズ鏡筒が繰り出した状態を示す外観斜視図である。
【図２】図１に示す絞り機構付きカメラの分解斜視図である。
【図３】図１に示す絞り機構付きカメラに含まれるカメラ本体（前側カバー）、手動操作部材（手動操作環）、及び復帰バネを示す分解斜視図である。
【図４】図１に示す絞り機構付きカメラに含まれるカメラ本体（前側カバー）、手動操作部材（手動操作環）、及び復帰バネを示す正面図及びその部分拡大図である。
【図５】図１に示す絞り機構付きカメラに含まれる手動操作部材（手動操作環）、復帰バネ、絞り部材、連動機構の一部、及びクリック機構を正面側から見た斜視図である。
【図６】図１に示す絞り機構付きカメラに含まれる手動操作部材（手動操作環）、絞り部材、連動機構の一部、及びクリック機構を背面側から見た斜視図である。
【図７】図１に示す絞り機構付きカメラに含まれるレンズ鏡筒を示すものであり、（ａ）はその外観斜視図であり、（ｂ）はその外筒部を省いた外観斜視図であり、（ｃ）はその外筒部及び前側カバーを省いた外観斜視図である。
【図８】図７（ｂ）に示すレンズ鏡筒を他の角度から見た外観斜視図である。
【図９】図１に示す絞り機構付きカメラに含まれるレンズ鏡筒の（外筒部を省略した）分解斜視図である。
【図１０】図１に示す絞り機構付きカメラに含まれる補助クリック機構を示す部分拡大断面図である。
【図１１】図７（ｃ）に示すレンズ鏡筒において、組み付け時に、絞り部材の位置決め部にクリック機構（クリックレバーの係合部）が係合した状態を示す正面図である。
【図１２】図７（ｃ）に示すレンズ鏡筒において、組み付け後に、クリック機構が絞り部材をクリック保持した状態を示す正面図である。
【図１３】図１に示す絞り機構付きカメラ内に配置されるカメラユニットの一部を示すものであり、レンズ鏡筒（外筒部、前側カバー等を省略）が沈胴状態にある斜視図である。
【図１４】図１に示す絞り機構付きカメラ内に配置されるカメラユニットの一部を示すものであり、レンズ鏡筒（外筒部、前側カバー等を省略）が繰り出し途中状態にある斜視図である。
【図１５】図１に示す絞り機構付きカメラ内に配置されるカメラユニットを示す（レンズ鏡筒が沈胴した状態の）外観斜視図である。
【図１６】図１に示す絞り機構付きカメラ内に配置されるカメラユニットを示す（レンズ鏡筒が繰り出した状態の）外観斜視図である。
【図１７】図１に示す絞り機構付きカメラ内に配置されるカメラユニット（一部を省略）を示すものであり、（ａ）はレンズ鏡筒が沈胴した状態を示す斜視図であり、（ｂ）はレンズ鏡筒が繰り出した状態を示す斜視図である。
【図１８】図１に示す絞り機構付きカメラに含まれるレンズ鏡筒の繰り出し機構を示す分解斜視図である。
【図１９】図１に示す絞り機構付きカメラに含まれる補助クリック機構と手動操作部材（手動操作環）との関係を示すものであり、レンズ鏡筒が沈胴した状態の部分側断面図である。
【図２０】図１に示す絞り機構付きカメラに含まれる補助クリック機構と手動操作部材（手動操作環）との関係を示すものであり、レンズ鏡筒が繰り出した状態の部分側断面図である。
【発明を実施するための形態】
【００１４】
以下、本発明の実施形態について、添付図面を参照しつつ説明する。
この実施形態に係る絞り機構付きカメラは、インスタント写真用のフィルムユニットが装填されるインスタントカメラであり、図１ないし図５に示すように、外輪郭を画定するカメラ本体１０、カメラ本体１０の外部に取り付けられて絞り機構の一部をなす手動操作部材としての手動操作環２０、手動操作環２０とレンズ鏡筒ＬＵとの間に掛止されて手動操作環２０を初期位置（デフォルト位置）に復帰させる絞り機構の一部をなす復帰バネ３０、撮影時にカメラ本体１０から光軸Ｌ方向に繰り出した状態に位置するレンズ鏡筒ＬＵ（絞り機構の一部をなす絞り部材５０，連動機構の一部（歯車列６０のうちの移動歯車６１，６２，６３），クリック機構の一部をなすクリックレバー７０及び付勢バネ７１等を含む）、カメラ本体１０内に固定されると共にレンズ鏡筒ＬＵ及び繰り出し機構９０（押しボタン９１，ボタンガイド９２，戻しバネ９３，繰り出しレバー９４，トグルバネ９５，カバー９６を含む）を保持するカメラユニットＣＵ（ユニットベース８０を含む）、手動操作環２０を複数の絞り開口に対応する各々の絞り位置に位置決めして保持し得る補助クリック機構の一部をなす補助クリックユニット１００（係合部としての係合ピン１０１、付勢バネ１０２、取付カバー１０３）、カメラユニットＣＵに組み付けられるファインダユニットＦＵ、光学ユニットＯＵ及びフラッシュＦを実装してカメラ本体１０内に配置される回路基板ＣＢ等を備えている。
【００１５】
カメラ本体１０は、図１ないし図５に示すように、手動操作環２０を回動自在に支持する前側カバー１１、前側カバー１１に着脱自在に結合される後側カバー１２、後側カバー１２に着脱自在に結合されるバッテリカバー１３により構成されており、ファインダ窓１０ａ、レリーズボタンＲＢ用の開口１０ｂ、フラッシュ窓１０ｃ、受光窓１０ｄ，１０ｅ、フィルムユニットの排出口１０ｆ、繰り出し機構９０に含まれる押しボタン９１を往復動自在にガイドするガイド部１０ｇ等を備えている。
前側カバー１１は、図３に示すように、手動操作環２０をバヨネット構造（凹凸嵌合及び回転連結構造）により嵌め込んで光軸Ｌ回りに回動自在に支持する支持部１１ａ、絞り部材５０の５つの絞り開口５２ａ，５２ｂ，５２ｃ，５２ｄ，５２ｅがそれぞれ光軸Ｌ上に臨む位置にあるときに対応する絞り位置指標１１ｂ，１１ｃ，１１ｄ，１１ｅ，１１ｆ、手動操作環２０を絞り設定範囲内に回転規制する規制壁１１ｇ等を備えている。
【００１６】
手動操作環２０は、図３ないし図６に示すように、円環状に形成されており、復帰バネ３０を伸縮自在に円弧状に収容する凹部２１、復帰バネ３０の一端部３１を掛止する掛止突起２２、復帰バネ３０の他端部３２をユニットベース８０の方向変換部８２ｈを経由して掛止部４４ｄに掛止した状態でその回動を許容する円弧状の貫通孔２３、絞り位置指標２４、規制壁１１ｇに当接し得る当接部２５、ユニットベース８０の規制壁８２ｇ（図１５及び図１６を参照）に当接し得る当接部２６、径方向の内側を向くように円弧状に形成された駆動歯列２７、補助クリック機構の一部をなすべく背面側に形成された複数（５つ）の被係合部２８ａ，２８ｂ，２８ｃ，２８ｄ，２８ｅ等を備えている。
【００１７】
被係合部２８ａ，２８ｂ，２８ｃ，２８ｄ，２８ｅは、図６及び図１０に示すように、それぞれの断面が係合ピン１０１の先端部１０１ａを受け入れる略三角形状（略Ｖ字溝状）の凹みをなしかつ光軸Ｌ周りの周方向に配列して形成されている。
ここで、被係合部２８ａは、絞り位置指標２４が絞り位置指標１１ｂに一致するとき、係合ピン１０１が係合し得る位置に配置されている。
被係合部２８ｂは、絞り位置指標２４が絞り位置指標１１ｃに一致するとき、係合ピン１０１が係合し得る位置に配置されている。
被係合部２８ｃは、絞り位置指標２４が絞り位置指標１１ｄに一致するとき、係合ピン１０１が係合し得る位置に配置されている。
被係合部２８ｄは、絞り位置指標２４が絞り位置指標１１ｅに一致するとき、係合ピン１０１が係合し得る位置に配置されている。
被係合部２８ｅは、絞り位置指標２４が絞り位置指標１１ｆに一致するとき、係合ピン１０１が係合し得る位置に配置されている。
【００１８】
そして、手動操作環２０は、操作者が指等で直接掴んで光軸Ｌ回りに回転させることにより、駆動歯列２７と噛合する（連動機構の一部をなす）歯車列６０を介して、絞り部材５０を適宜所定の絞り位置に位置付けるようになっている。また、手動操作環２０は、当接部２５と規制壁１１ｇとの関係及び当接部２６と規制壁８２ｇとの関係により、絞り部材５０の複数（５つ）の絞り開口５２ａ，５２ｂ，５２ｃ，５２ｄ，５２ｅに対応する絞り設定範囲内に回転が規制され、一方の回転端（図４に示すように当接部２５が規制壁１１ｇに当接する位置）にて、所定の絞り値（頻繁に使用される絞り値）を設定する初期位置（デフォルト位置）に位置付けられるようになっている。
【００１９】
復帰バネ３０は、図３ないし図６、図１７に示すように、光軸Ｌに垂直な平面上において凹部２１に収容されると共にその一端部３１が手動操作環２０（の掛止突起２２）に掛止され、その途中領域がユニットベース８０に設けられた方向変換部８２ｈにより屈曲されて光軸Ｌ方向に伸長するように方向変換されると共にその他端部３２がレンズ鏡筒ＬＵ（の鏡筒ベース４４の掛止部４４ｄ）に掛止された引張り型のコイルバネである。
そして、復帰バネ３０は、クリック機構（クリックレバー７０、付勢バネ７１等）による絞り部材５０のクリック保持を解除した際に、所定の絞り値（頻繁に使用される絞り値）を設定する初期位置、ここでは、絞り位置指標１１ｂに絞り位置指標２４が一致する位置に、手動操作環２０を自動的に回転復帰させる付勢力を及ぼすものである。
ここでは、レンズ鏡筒ＬＵが図１７（ａ）に示すように沈胴状態にあるときは、復帰バネ３０が引っ張られて付勢力が高められ、一方、レンズ鏡筒ＬＵが図１７（ｂ）に示すように繰り出し状態にあるときは、復帰バネ３０が縮められて付勢力が弱められるようになっている。これにより、レンズ鏡筒ＬＵが繰り出した状態において、手動による絞り操作の負荷を低減でき、手動操作環２０の回転操作性を向上させることができ、又、復帰バネ３０を手動操作環２０に設けた凹部２１の領域に配置することで、全体として部品の集約化、小型化等を達成することができ、手動操作環２０を復帰バネ３０の付勢力により一方の回転端に向けて回転復帰させ、初期位置に自動的に位置決めすることができる。
【００２０】
レンズ鏡筒ＬＵは、図７ないし図９に示すように、レンズＧ１及びレンズ押え４１を前側に組み込む前側カバー４２、レンズＧ２及びレンズ押え４３を後側に組み込む鏡筒ベース４４、鏡筒ベース４４の周りに配置される外筒部４５、鏡筒ベース４４の内部に配置される地板４６、地板４６に対して回動自在に支持されて絞り機構の一部をなす円盤状の絞り部材５０、鏡筒ベース４４及び地板４６に設けられて連動機構の一部をなす移動歯車６１，６２，６３、鏡筒ベース４４及び前側カバー４２に設けられたクリック機構の一部をなすクリックレバー７０及び付勢バネ７１、補助クリック機構の一部をなす補助クリックユニット１００（係合ピン１０１，付勢バネ１０２，取付カバー１０３）、シャッタ部材ＳＭ１，シャッタ歯車ＳＭ２，及びシャッタバネＳＭ３を含み鏡筒ベース４４に設けられたシャッタ機構ＳＭ、外筒部４５の前側に設けられたバリヤ機構ＢＭ等を備えている。
【００２１】
鏡筒ベース４４は、図７及び図９に示すように、光を通す開口４４ａ、カメラユニットＣＵのユニットベース８０に形成されたガイド溝８２ａに挿入されて光軸Ｌ方向にガイドされる複数の突出部４４ｂ、付勢バネ７１の他端部７１ｂを掛止する掛止部４４ｃ、復帰バネ３０の他端部３２を掛止する掛止部４４ｄ、補助クリック機構（係合ピン１０１、付勢バネ１０２、取付カバー１０３）を組み付ける筒状部４４ｅ等を備えている。
地板４６は、図９に示すように、光を通す開口４６ａ、絞り部材５０を光軸Ｌに垂直な面内で回動自在に支持するべく光軸Ｌに平行な回転軸４６ｂ、移動歯車６３を回動自在に支持する支軸４６ｃ等を備えている。
【００２２】
絞り部材５０は、図５、図６、図１１ないし図１４に示すように、円盤状に形成されて、地板４６の回転軸４６ｂ回りに回動自在に支持されかつレンズ鏡筒ＬＵと一体的に光軸Ｌ方向に移動するべくレンズ鏡筒ＬＵ内に配置されており、光軸Ｌに平行な回転軸４６ｂを通す中心孔５１ａを画定する被動歯車５１（図６参照）、回転軸４６ｂを中心に周方向に配列された複数（５つ）の絞り開口５２ａ，５２ｂ，５２ｃ，５２ｄ，５２ｅ、５つの絞り開口５２ａ，５２ｂ，５２ｃ，５２ｄ，５２ｅにそれぞれ対応して外周に凹状に形成されクリックレバー７０の係合部７０ａが離脱可能に係合し得る５つの被係合部５３ａ，５３ｂ，５３ｃ，５３ｄ，５３ｅ、絞り設定範囲を超えた回転角度の領域でかつ初期位置に対応する被係合部５３ａに隣接する位置において組み付け時にクリックレバー７０の係合部７０ａを係合させて位置決めする位置決め部５４等を備えている。
【００２３】
歯車列６０は、図７、図８、図１１ないし図１４に示すように、レンズ鏡筒ＬＵと一体的に光軸Ｌ方向に移動するべくレンズ鏡筒ＬＵに保持された移動歯車６１，６２，６３と、カメラ本体１０に固定された（カメラユニットＣＵの）ユニットベース８０に保持されて光軸Ｌ方向に長尺な円柱状をなす長尺歯車６４により構成されている。
移動歯車６１は、図７（ａ）に示すように、レンズ鏡筒ＬＵの外筒部４５から一部が露出するように配置されて、図５及び図６に示すように、長尺歯車６４と移動歯車６２に噛合するように形成されている。
移動歯車６２は、図７（ｃ）に示すように、光軸Ｌ方向に長尺に形成され、レンズ鏡筒ＬＵの鏡筒ベース４４の外周領域に配置されて、図５及び図６に示すように、移動歯車６１と移動歯車６３に噛合するように形成されている。
移動歯車６３は、図５及び図９に示すように、レンズ鏡筒ＬＵの地板４６の前面に設けられた支軸４６ｃに支持されると共に絞り部材５０の背後に配置されて、図６に示すように、移動歯車６２と被動歯車５１に噛合するように形成されている。
長尺歯車６４は、図１３ないし図１６に示すように、カメラユニットＣＵのユニットベース８０（カメラ本体１０側）に対して一部が露出するように配置されて、レンズ鏡筒ＬＵの光軸Ｌ方向における移動範囲に亘って手動操作環２０の駆動歯列２７と移動歯車６１に噛合するように形成されている。
【００２４】
すなわち、手動操作環２０に設けられた円弧状の駆動歯列２７、絞り部材５０に設けられた被動歯車５１、駆動歯列２７と被動歯車５１の間に介在する歯車列６０（移動歯車６１，６２，６３，長尺歯車６４）により、手動操作環２０の回動動作を絞り部材５０の回動動作に変換して連動させる連動機構が構成されている。
そして、手動操作環２０を回動させると、駆動歯列２７に噛合した長尺歯車６４が回動し、長尺歯車６４に噛合した移動歯車６１及び移動歯車６２，６３を介して被動歯車５１が回動し、被動歯車５１と一体的に絞り部材５０が回転軸４６ｂ回りに回動するようになっている。ここで、長尺歯車６４は、レンズ鏡筒ＬＵの光軸Ｌ方向における移動範囲に亘って駆動歯列２７及び移動歯車６１と常時噛合しているため、レンズ鏡筒ＬＵの沈胴状態から繰り出し状態に至る全域において、手動操作環２０の回動動作を絞り部材５０の回動動作に確実に変換して連動させることができる。また、連動機構として、歯車機構を採用したことにより、部品の集約化、小型化等を達成することができる。
【００２５】
クリック機構の一部をなすクリックレバー７０は、図５、図６、図７（ｃ）、図９ないし図１４に示すように、光軸Ｌ方向に伸長すると共に光軸Ｌに垂直な方向に屈曲する略Ｌ字状に形成され、レンズ鏡筒ＬＵ（前側カバー４２、鏡筒ベース４４）に対して光軸Ｌに平行な軸線回りに揺動自在に支持され、絞り部材５０（の被係合部５３ａ，５３ｂ，５３ｃ，５３ｄ，５３ｅ、組み付け時においてのみ位置決め部５４）に離脱可能に係合し得るローラ状の係合部７０ａ、付勢バネ７１の一端部７１ａを掛止する掛止部７０ｂ、カメラ本体１０に固定されたカメラユニットＣＵ（ユニットベース８０）のカム部８２ｂに係合し得るフォロワ部７０ｃを備えている。
クリック機構の一部をなす付勢バネ７１は、図５、図６、図７（ｃ）に示すように、捩りバネであり、その一端部７１ａがクリックレバー７０の掛止部７０ｂに掛止され、その他端部７１ｂが鏡筒ベース４４の掛止部４４ｃに掛止され、クリックレバー７０の係合部７０ａが絞り部材５０の被係合部５３ａ，５３ｂ，５３ｃ，５３ｄ，５３ｅに係合する向きに、クリックレバー７０を回転付勢するように形成されている。
そして、クリックレバー７０は、レンズ鏡筒ＬＵと一体的に光軸Ｌ方向に移動するべくレンズ鏡筒ＬＵ内に設けられて光軸Ｌに垂直な面内で揺動すると共に、レンズ鏡筒ＬＵが図１４に示す繰り出し側の位置から図１３に示す沈胴位置に沈胴することにより、カメラ本体１０に固定されたユニットベース８０のカム部８２ｂにより（すなわちカメラ本体１０から）カム作用を受けて、付勢バネ７１の付勢力に抗しつつ、係合部７０ａが、係合している被係合部５３ａ，５３ｂ，５３ｃ，５３ｄ，５３ｅのいずれか一つから離脱するように形成されている。
【００２６】
すなわち、係合部７０ａを有するクリックレバー７０、絞り部材５０の外周に凹状に形成された複数（５つ）の被係合部５３ａ，５３ｂ，５３ｃ，５３ｄ，５３ｅ、及び付勢バネ７１により、絞り部材５０を複数（５つ）の絞り開口５２ａ，５２ｂ，５２ｃ，５２ｄ，５２ｅの各々の絞り位置に保持し得るクリック機構が構成されている。
ここで、付勢バネ７１の付勢力（バネ力量）は、絞り部材５０をクリック保持した状態において、手動操作環２０が復帰バネ３０の付勢力により初期位置に復帰しないように、復帰バネ３０の付勢力（バネ力量）よりも大きく設定されている。
【００２７】
補助クリック機構の一部をなす補助クリックユニット１００は、図１０に示すように、レンズ鏡筒ＬＵの一部をなす鏡筒ベース４４の筒状部４４ｅに対して可動に収容されると共に凸状に湾曲して形成された先端部１０１ａを有する係合ピン１０１、係合ピン１０１を筒状部４４ｅの円孔４４ｅ´から突出させる向きに（すなわち、光軸Ｌ方向の繰り出し側に向けて）付勢力を及ぼす付勢バネ１０２、付勢バネ１０２を圧縮した状態にて取り付ける取付カバー１０３により構成されている。
係合ピン１０１（の先端部１０１ａ）は、レンズ鏡筒ＬＵが繰り出した状態において、手動操作環２０の複数の被係合部２８ａ，２８ｂ，２８ｃ，２８ｄ，２８ｅの一つと係合し得るように形成されている。
付勢バネ１０２は、筒状部４４ｅ内に配置されて、係合ピン１０１を光軸Ｌ方向の繰り出し側に向けて付勢するように形成されている。
取付カバー１０３は、筒状部４４ｅ内に係合ピン１０１及び付勢バネ１０２を組み込んだ状態において、鏡筒ベース４４の背後から筒状部４４ｅを塞ぐように取り付けられる。
【００２８】
そして、レンズ鏡筒ＬＵが、図１９に示す沈胴位置から図２０に示すように光軸Ｌ方向に繰り出すと、係合ピン１０１が付勢バネ１０２の付勢力を受けながら手動操作環２０の一つの被係合部２８ａに係合し、手動操作環２０をその絞り位置に（絞り位置指標２４が絞り位置指標１１ｂに一致する位置に）位置決めして保持する。
また、この繰り出し状態において、手動操作環２０が一方向に回転させられて、絞り位置指標２４が絞り位置指標１１ｃに一致すると、係合ピン１０１が隣接する被係合部２８ｂに係合し、手動操作環２０をその絞り位置に位置決めして保持する。
手動操作環２０が一方向にさらに回転させられて、絞り位置指標２４が絞り位置指標１１ｄに一致すると、係合ピン１０１が隣接する被係合部２８ｃに係合し、手動操作環２０をその絞り位置に位置決めして保持する。
手動操作環２０が一方向にさらに回転させられて、絞り位置指標２４が絞り位置指標１１ｅに一致すると、係合ピン１０１が隣接する被係合部２８ｄに係合し、手動操作環２０をその絞り位置に位置決めして保持する。
手動操作環２０が一方向にさらに回転させられて、絞り位置指標２４が絞り位置指標１１ｆに一致すると、係合ピン１０１が隣接する被係合部２８ｅに係合し、手動操作環２０をその絞り位置に位置決めして保持する。
【００２９】
すなわち、手動操作環２０に形成された複数の被係合部２８ａ，２８ｂ，２８ｃ，２８ｄ，２８ｅ、及び補助クリックユニット１００（係合ピン１０１、付勢バネ１０２等により、手動操作環２０（手動操作部材）を複数の絞り開口５２ａ，５２ｂ，５２ｃ，５２ｄ，５２ｅに対応する各々の絞り位置に位置決めして保持し得る補助クリック機構が構成されている。
このように、補助クリック機構として、レンズ鏡筒ＬＵに可動に保持された係合ピン１０１、係合ピン１０１を付勢する付勢バネ１０２等を採用したことにより、構造を簡素化しつつ、補助クリック機構の機能上の信頼性を高めることができる。
また、係合ピン１０１が凸状に湾曲して形成された先端部１０１ａを有し、複数の被係合部２８ａ，２８ｂ，２８ｃ，２８ｄ，２８ｅが先端部１０１ａを受け入れる略三角形状（略Ｖ字溝状）の凹みをなす断面に形成されているため、係合ピン１０１（の先端部１０１ａ）が一つの被係合部から他の被係合部に円滑に移動して、手動操作環２０を対応する絞り位置に位置決めして保持することができる。
【００３０】
カメラユニットＣＵは、図１５及び図１６に示すように、カメラ本体１０の内部に固定されるユニットベース８０、ユニットベース８０に対して光軸Ｌ方向に繰り出し及び沈胴自在に設けられたレンズ鏡筒ＬＵ、レンズ鏡筒ＬＵを光軸Ｌ方向（の前方）に繰り出すための繰り出し機構９０等を備えている。
ユニットベース８０は、図１５及び図１６に示すように、略矩形のベース部８１、ベース部８１の前側に結合される筒状のバレル部８２等により構成されている。
バレル部８２は、図１３、図１４、図１８に示すように、レンズ鏡筒ＬＵの突出部４４ｂを光軸Ｌ方向にガイドする複数のガイド溝８２ａ、クリックレバー７０のフォロワ部７０ｃに対してカム作用を及ぼすカム部８２ｂ、トグルバネ９５の他端部９５ｂを掛止する掛止突起８２ｃ、繰り出しレバー９４を回動自在に支持する支軸８２ｄ、カバー９６をネジにより締結する３つのボス部８２ｅ、ボタンガイド９２の端部を嵌め込む嵌合穴８２ｆ、手動操作環２０が初期位置から一方側に回転したときにその当接部２６が当接して回転端を規制する規制壁８２ｇ、復帰バネ３０の途中領域を光軸Ｌに垂直な平面内から光軸Ｌ方向に摺接させつつ方向変換させる方向変換部８２ｈ、レンズ鏡筒ＬＵの光軸Ｌ方向における沈胴位置を規定する沈胴側ストッパ（不図示）及びレンズ鏡筒ＬＵの光軸Ｌ方向における繰り出し位置を規定する繰り出し側ストッパ（不図示）等を備えている。
カム部８２ｂは、レンズ鏡筒ＬＵが沈胴する際に、クリックレバー７０のフォロワ部７０ｃにカム作用を及ぼして、係合部７０ａが絞り部材５０から離脱するように付勢バネ７１の付勢力に抗してクリックレバー７０を回転させ、一方、レンズ鏡筒ＬＵが沈胴状態から繰り出す際に、クリックレバー７０のフォロワ部７０ｃに対するカム作用を解除して、クリックレバー７０が付勢バネ７１の付勢力により回転して係合部７０ａが絞り部材５０に係合するのを許容するように形成されている。
【００３１】
上記構成によれば、レンズ鏡筒ＬＵが沈胴した状態においては、図１３に示すように、クリックレバー７０（の係合部７０ａ）が絞り部材５０（の被係合部５３ａ，５３ｂ，５３ｃ，５３ｄ，５３ｅ）から離脱して絞り部材５０の保持が解除されているため、手動操作環２０は復帰バネ３０の付勢力により初期位置に復帰すると共に、絞り部材５０は（所定の絞り値を設定する）所定の絞り開口５２ａが光軸Ｌ上に位置付けられる。
一方、レンズ鏡筒ＬＵが沈胴状態から繰り出すと、図１４に示すように、カメラ本体１０（に固定されたユニットベース８０）のカム作用が解除されてクリックレバー７０は付勢バネ７１の付勢力によりその係合部７０ａが絞り部材５０の絞り開口５２ａに対応する被係合部５３ａに係合し、その後、手動操作環２０の必要に応じた（測光情報に基づいた）回転操作により、係合部７０ａが適宜異なる被係合部５３ｂ，５３ｃ，５３ｄ，５３ｅに係合しつつ対応する絞り開口５２ｂ，５２ｃ，５２ｄ，５２ｅとなる絞り位置に適宜位置付けられて、所定の絞り値を設定するように絞り部材５０が保持される。
このように、クリック機構（クリックレバー７０，付勢バネ７１等）を介して絞り部材５０を所定の絞り位置に自動的に保持することができる。
また、絞り部材５０は、絞り設定範囲を超えた回転角度の領域でかつ初期位置に対応する被係合部５３ａに隣接する位置において、組み付け時にクリックレバー７０の係合部７０ａを係合させて位置決めする位置決め部５４を有するため、図１１に示すように、クリックレバー７０の係合部７０ａが絞り部材５０の位置決め部５４に係合する状態で、絞り部材５０、連動機構（歯車列６０等）、クリック機構（クリックレバー７０、付勢バネ７１）等をレンズ鏡筒ＬＵに組み込むことにより、図１２に示すように、初期位置に対応する絞り開口５２ａが光軸Ｌ上に位置するように、容易に位置合わせでき、それ故に、組み付け作業を容易に行うことができる。
【００３２】
繰り出し機構９０は、図１５、図１６、図１８に示すように、操作者が押す押しボタン９１、押しボタン９１を光軸Ｌ方向に往復動自在にガイドするボタンガイド９２、ボタンガイド９２の周りに配置されて押しボタン９１を押される前の突出位置に戻す付勢力を及ぼす戻しバネ９３、押しボタン９１に連動して光軸Ｌに垂直な軸線回りに揺動する繰り出しレバー９４、レンズ鏡筒ＬＵを沈胴位置と繰り出し位置とにそれぞれ保持する付勢力を及ぼすトグルバネ９５、繰り出しレバー９４を脱落しないように規制しつつ覆うカバー９６等を備えている。
【００３３】
押しボタン９１は、図１８に示すように、繰り出しレバー９４のＵ字状連結部９４ｂに連結される連結部９１ａを備えており、前側カバー１１のガイド部１１ｇ及びボタンガイド９２により、光軸Ｌ方向に往復動自在にガイドされると共に抜け落ちないように組み付けられて、操作者が指等で押込んで繰り出し操作を行うことができるように形成されている。
ボタンガイド９２は、図１８に示すように、その後端部がバレル部８２の嵌合穴８２ｆに嵌合されて組み付けられ、その前端側から戻しバネ９３が組み付けられ、さらに押しボタン９１が組み付けられるように形成されている。
戻しバネ９３は、図１８に示すように、圧縮型のコイルバネであり、ボタンガイド９２の周りに組み込まれて、押しボタン９１を光軸Ｌ方向の前方側（繰り出し側）に向けて付勢するように形成されている。
繰り出しレバー９４は、図１８に示すように、バレル部８２の支軸８２ｄに嵌め込まれて支持される円孔９４ａ、押しボタン９１の連結部９１ａに連結されるＵ字状連結部９４ｂ、レンズ鏡筒ＬＵの突出部４４ｂに対して光軸Ｌ方向の後方側から離脱可能に係合する係合部９４ｃを備えている。
トグルバネ９５は、図１３ないし図１６に示すように、コイル型の捩りバネであり、その一端部９５ａがレンズ鏡筒ＬＵの突出部４４ｂに掛止され、その他端部９５ｂがバレル部８２の掛止突起８２ｃに掛止され、図１３及び図１５に示すように、レンズ鏡筒ＬＵが沈胴位置にあるときレンズ鏡筒ＬＵを沈胴状態に保持するように付勢力を及ぼし、一方、図１４及び図１６に示すように、レンズ鏡筒ＬＵが繰り出し側にあるときレンズ鏡筒ＬＵを繰り出し状態に保持するように付勢力を及ぼすように形成されている。
カバー９６は、図１５、図１６、図１８に示すように、繰り出しレバー９４が支軸８２ｄに嵌め込まれて支持された状態で、繰り出しレバー９４を外側から覆うように配置されて脱落を規制するべく、ネジ等によりバレル部８２に締結されるように形成されている。
【００３４】
すなわち、上記繰り出し機構９０においては、図１（ａ）、図１３及び図１５に示すようにレンズ鏡筒ＬＵが沈胴位置にある（レンズ鏡筒ＬＵはユニットベース８０の一部に当接しトグルバネ９５の付勢力により沈胴位置に停止して保持されている）状態から、操作者が押しボタン９１を押し込むと、繰り出しレバー９４が一方向に回転して、その係合部９４ｃが突出部４４ｂを光軸Ｌ方向の前方に向けて押すことでレンズ鏡筒Ｌが繰り出され、その後、トグルバネ９５の（逆向きに切り替わった）付勢力により、図１４及び図１６に示すようにレンズ鏡筒ＬＵは繰り出し側に保持されると共に、操作者が押しボタン９１から指を離すと、戻しバネ９３の付勢力により押しボタン９１は元の突出状態に戻ると同時に、繰り出しレバー９４は押しボタン９１に連動して逆向きに回転して突出部４４ｂから離脱する。これにより、レンズ鏡筒ＬＵの繰り出し動作が完了する。
一方、レンズ鏡筒ＬＵを沈胴位置に戻す場合は、操作者が指等でレンズ鏡筒ＬＵを直接押し込むことにより、トグルバネ９５の付勢力の向きが切り替わり、レンズ鏡筒ＬＵは沈胴位置に位置付けられて保持されることになる。
【００３５】
次に、上記絞り機構付きカメラの絞り機構、クリック機構、及び補助クリック機構等の動作について説明する。
先ず、絞り機構付きカメラにおいて、撮影しない休止状態において、図１（ａ）及び図１５に示すように、レンズ鏡筒ＬＵはカメラ本体１０内に沈胴した状態にあり、レンズＧ１はバリヤ機構ＢＭにより閉塞されている。
また、この沈胴状態において、クリックレバー７０は、付勢バネ７１の付勢力に抗してカメラ本体１０（のバレル部８２のカム部８２ｂ）からカム作用を受けて、図１３に示すように絞り部材５０から離脱した状態にあり、補助クリック機構の係合ピン１０１は図１９に示すように手動操作環２０（の被係合部２８ａ，２８ｂ，２８ｃ，２８ｄ，２８ｅ）から離脱した状態にあり、手動操作環２０は復帰バネ３０の付勢力により初期位置に復帰させられると共に当接部２５が規制壁１１ｇに当接して位置決めされ、絞り位置指標２４がカメラ本体１０の絞り位置指標１１ｂに一致している。
このとき、絞り部材５０は、連動機構（駆動歯列２７、被動歯車５１、歯車列６０）を介して、図１２及び図１３に示すように、その絞り開口５２ａが光軸Ｌ上に臨む位置に位置付けられて保持されている。すなわち、初期位置においては、絞り位置指標２４と絞り位置指標１１ｂとが一致し、絞り部材５０の絞り開口５２ａが光軸Ｌ上に臨む位置に位置付けられている。
【００３６】
続いて、撮影を行う際には、操作者が押しボタン９１を押すと、繰り出し機構９０の繰り出し動作により、図１（ｂ）及び図１６に示すように、レンズ鏡筒ＬＵがカメラ本体１０から繰り出すと共に、クリックレバー７０は、カメラ本体１０（のバレル部８２のカム部８２ｂ）のカム作用から解放されて、付勢バネ７１の付勢力により、図１２に示すように絞り部材５０の被係合部５３ａに係合して、絞り部材５０をクリック力にて保持し、又、図２０に示すように、補助クリック機構の係合ピン１０１が被係合部２８ａに係合して手動操作環２０を位置決めして保持する。尚、レンズ鏡筒ＬＵの繰り出し動作に連動して、バリヤ機構ＢＭは開き動作を行ってレンズＧ１を露出させる。
【００３７】
続いて、カメラ本体１０に設けられた光学ユニットＯＵにより被写界輝度が測定されて、必要な絞り値の情報が得られると、その情報に応じて、操作者が手動操作環２０を初期位置から回転させることで、適宜必要な絞り値を設定することができる。
ここでは、手動操作環２０を所定角度回転させて、絞り位置指標２４を絞り位置指標１１ｃに位置させると、絞り部材５０は、連動機構を介して、その絞り開口５２ｂが光軸Ｌ上に臨む位置に回転すると共にクリックレバー７０の係合部７０ａが被係合部５３ｂに係合してクリック保持され、又、係合ピン１０１が被係合部２８ｂに係合して手動操作環２０がその絞り位置に位置決めして保持される。
また、手動操作環２０をさらに所定角度回転させて、絞り位置指標２４を絞り位置指標１１ｄに位置させると、絞り部材５０は、連動機構を介して、その絞り開口５２ｃが光軸Ｌ上に臨む位置に回転すると共にクリックレバー７０の係合部７０ａが被係合部５３ｃに係合してクリック保持され、又、係合ピン１０１が被係合部２８ｃに係合して手動操作環２０がその絞り位置に位置決めして保持される。
手動操作環２０をさらに所定角度回転させて、絞り位置指標２４を絞り位置指標１１ｅに位置させると、絞り部材５０は、連動機構を介して、その絞り開口５２ｄが光軸Ｌ上に臨む位置に回転すると共にクリックレバー７０の係合部７０ａが被係合部５３ｄに係合してクリック保持され、又、係合ピン１０１が被係合部２８ｄに係合して手動操作環２０がその絞り位置に位置決めして保持される。
手動操作環２０をさらに所定角度回転させて、絞り位置指標２４を絞り位置指標１１ｆに位置させると、絞り部材５０は、連動機構を介して、その絞り開口５２ｅが光軸Ｌ上に臨む位置に回転すると共にクリックレバー７０の係合部７０ａが被係合部５３ｅに係合してクリック保持され、又、係合ピン１０１が被係合部２８ｅに係合して手動操作環２０がその絞り位置に位置決めして保持される。
【００３８】
一方、絞り部材５０がいずれかの絞り位置にある状態において、操作者がレンズ鏡筒ＬＵを押し込んで沈胴させると、図１３及び図１５に示すように、この沈胴動作に連動してクリックレバー７０のフォロワ部７０ｃがカメラ本体１０（バレル部８２のカム部８２ｂ）からカム作用を受けて、クリックレバー７０の係合部７０ａが絞り部材５０から離脱してクリック機構による保持が解除され、又、図１９に示すように、係合ピン１０１が手動操作環２０の被係合部２８ａ，２８ｂ，２８ｃ，２８ｄ，２８ｅから離脱して補助クリック機構による位置決め保持が解除され、手動操作環２０は、復帰バネ３０の付勢力により、所定の絞り値を設定する初期位置、すなわち、絞り部材５０の絞り開口５２ａが光軸Ｌ上の臨む位置でかつ絞り位置指標２４が絞り位置指標１１ｂに一致する位置に、自動的に回転復帰する。尚、レンズ鏡筒ＬＵの沈動動作に連動して、バリヤ機構ＢＭは閉じ動作を行ってレンズＧ１を覆う。
【００３９】
このように、複数の絞り開口５２ａ，５２ｂ，５２ｃ，５２ｄ，５２ｅに対応する各々の絞り位置に手動操作環２０を位置決めして保持する補助クリック機構（被係合部２８ａ，２８ｂ，２８ｃ，２８ｄ，２８ｅ、係合ピン１０１、付勢バネ１０２等）を設けたことにより、連動機構においてガタツキやバックラッシ等を生じても、手動操作環２０を所定の絞り位置に高精度にかつ確実に位置決めすることができ、それ故に、従来のような手動操作部材の指標のずれ、ガタツキ感、操作の違和感等を解消することができる。
【００４０】
上記実施形態においては、補助クリック機構として、手動操作環２０に形成された略三角形状（略Ｖ字溝状）の凹みをなす複数の被係合部２８ａ，２８ｂ，２８ｃ，２８ｄ，２８ｅ、レンズ鏡筒ＬＵ側に設けられた係合ピン１０１及び付勢バネ１０２等を採用した場合を示したが、これに限定されるものではなく、付勢バネ１０２を廃止して、係合部を鏡筒ベースに弾性変形可能に一体的に形成した構成、あるいは、手動操作環２０以外の他の手動操作部材を採用した構成において他の形態をなす被係合部及び係合部を採用してもよい。
上記実施形態においては、絞り機構に含まれる連動機構として、歯車機構（駆動歯列２７、被動歯車５１、歯車列６０）を採用した場合を示したが、これに限定されるものではなく、光軸Ｌ回りに回動する手動操作環と光軸Ｌに平行な回転軸回りに回転する絞り部材との間で駆動力を伝達し得る機構であれば、その他の連動機構を採用することができる。
上記実施形態においては、レンズ鏡筒ＬＵを繰り出すための繰り出し機構９０を備えた構成において本発明を採用した場合を示したが、これに限定されるものではなく、レンズ鏡筒を操作者が指等で掴んで繰り出させる構成において本発明を採用することもできる。
上記実施形態においては、クリック機構として、クリックレバー７０及び付勢バネ７１を採用した場合を示したが、これに限定されるものではなく、絞り部材を複数の絞り開口の各々の絞り位置に保持し得るものであれば、その他の構成をなすクリック機構を採用してもよい。
【産業上の利用可能性】
【００４１】
以上述べたように、本発明に係る絞り機構付きカメラは、構造の簡素化、部品点数の削減、低コスト化、小型化、組み付け作業の容易化等を達成しつつ、手動操作部材を高精度に操作して位置決めでき、そのガタツキや操作上の違和感等を解消でき、機能上の信頼性の向上等を達成することができるため、インスタントカメラに限らず、絞り機構に手動操作部材を含むものであれば、その他のカメラ、光学機器等においても有用である。
【符号の説明】
【００４２】
Ｌ  光軸
ＬＵ  レンズ鏡筒
ＣＵ  カメラユニット
ＣＢ  回路基板
ＯＵ  光学ユニット
ＦＵ  ファインダユニット
Ｆ  フラッシュ
ＲＢ  レリーズボタン
１０  カメラ本体
１０ａ  ファインダ窓
１０ｂ  開口
１０ｃ  フラッシュ窓
１０ｄ，１０ｅ  受光窓
１０ｆ  排出口
１０ｇ  ガイド部
１１  前側カバー
１１ａ  支持部
１１ｂ，１１ｃ，１１ｄ，１１ｅ，１１ｆ  絞り位置指標
１１ｇ  規制壁
１２  後側カバー
１３  バッテリカバー
２０  手動操作環
２１  凹部
２２  掛止突起
２３  貫通孔
２４  絞り位置指標
２５，２６  当接部
２７  駆動歯列（連動機構）
２８ａ，２８ｂ，２８ｃ，２８ｄ，２８ｅ  被係合部（補助クリック機構）
３０  復帰バネ
３１  一端部
３２  他端部
４１  レンズ押え
Ｇ１  レンズ
４２  前側カバー
４３  レンズ押え
Ｇ２  レンズ
４４  鏡筒ベース
４４ａ  開口
４４ｂ  突出部
４４ｃ  掛止部
４４ｄ  掛止部
４４ｅ  筒状部
４５  外筒部
４６  地板
４６ａ  開口
４６ｂ  回転軸
４６ｃ  支軸
５０  絞り部材（絞り機構）
５１  被動歯車（連動機構）
５１ａ  中心孔
５２ａ，５２ｂ，５２ｃ，５２ｄ，５２ｅ  絞り開口
５３ａ，５３ｂ，５３ｃ，５３ｄ，５３ｅ  被係合部（クリック機構）
５４  位置決め部
６０  歯車列（連動機構）
６１，６２，６３  移動歯車（歯車列）
６４  長尺歯車（歯車列）
７０  クリックレバー（クリック機構）
７０ａ  係合部
７０ｂ  掛止部
７０ｃ  フォロワ部
７１  付勢バネ（クリック機構）
７１ａ  一端部
７１ｂ  他端部
８０  ユニットベース
８１  ベース部
８２  バレル部
８２ａ  ガイド溝
８２ｂ  カム部
８２ｃ  掛止突起
８２ｄ  支軸
８２ｅ  ボス部
８２ｆ  嵌合穴
８２ｇ  規制壁
８２ｈ  方向変換部
９０  繰り出し機構
９１  押しボタン
９１ａ  連結部
９２  ボタンガイド
９３  戻しバネ
９４  繰り出しレバー
９４ａ  円孔
９４ｂ  Ｕ字状連結部
９４ｃ  係合部
９５  トグルバネ
９５ａ  一端部
９５ｂ  他端部
９６  カバー
１００  補助クリックユニット（補助クリック機構）
１０１  係合ピン（係合部）
１０１ａ  先端部
１０２  付勢バネ
１０３  取付カバー
【図１】
2014059367.tif 000003
【図２】
2014059367.tif 000004
【図３】
2014059367.tif 000005
【図４】
2014059367.tif 000006
【図５】
2014059367.tif 000007
【図６】
2014059367.tif 000008
【図７】
2014059367.tif 000009
【図８】
2014059367.tif 000010
【図９】
2014059367.tif 000011
【図１０】
2014059367.tif 000012
【図１１】
2014059367.tif 000013
【図１２】
2014059367.tif 000014
【図１３】
2014059367.tif 000015
【図１４】
2014059367.tif 000016
【図１５】
2014059367.tif 000017
【図１６】
2014059367.tif 000018
【図１７】
2014059367.tif 000019
【図１８】
2014059367.tif 000020
【図１９】
2014059367.tif 000021
【図２０】
2014059367.tif 000022
【手続補正書】
【提出日】平成24年11月9日(2012.11.9)
【手続補正１】
【補正対象書類名】図面
【補正対象項目名】全図
【補正方法】変更
【補正の内容】
【図１】
2014059367.tif 000023
【図２】
2014059367.tif 000024
【図３】
2014059367.tif 000025
【図４】
2014059367.tif 000026
【図５】
2014059367.tif 000027
【図６】
2014059367.tif 000028
【図７】
2014059367.tif 000029
【図８】
2014059367.tif 000030
【図９】
2014059367.tif 000031
【図１０】
2014059367.tif 000032
【図１１】
2014059367.tif 000033
【図１２】
2014059367.tif 000034
【図１３】
2014059367.tif 000035
【図１４】
2014059367.tif 000036
【図１５】
2014059367.tif 000037
【図１６】
2014059367.tif 000038
【図１７】
2014059367.tif 000039
【図１８】
2014059367.tif 000040
【図１９】
2014059367.tif 000041
【図２０】
2014059367.tif 000042